(57)【要約】【課題】眼前の店舗や交通機関乗場等の情報を携帯端末で容易に確認することができる簡易情報配信システムを提供する。【解決手段】本発明に係る簡易情報配信システムＡは、情報配信装置１は、５０ｍｓ以上の定周期で信号を送信する無線信号発信機５と、初期選択用の信号ａを１以上携帯端末８に送信する初期情報送信手段２１と、を備え、携帯端末８は、情報配信装置１から送信される信号ａを受信すると共に表示手段２３を含む初期情報受信手段２２と、登録情報配信サーバ１２に送信する要求間接送信手段２５と、登録情報配信サーバ１２から送信されるコンテンツｆを受信するコンテンツ間接受信手段２９と、を備え、登録情報配信サーバ１２は、間接要求データｂを受信する要求間接受信手段２６と、コンテンツｆを記憶するコンテンツデータベース１３と、コンテンツｆを携帯端末８に送信するコンテンツ間接送信手段２８と、を備えたことを特徴とする。【選択図】図１
2018120379.tif 000002
【特許請求の範囲】
【請求項１】
情報配信装置と、携帯端末と、登録情報配信サーバと、からなる簡易情報配信システムであって、
前記情報配信装置は、５０ｍｓ以上の定周期で信号を送信する無線信号発信機と、前記情報配信装置の識別番号を含み且つ提供すべきコンテンツに紐付けされた初期選択用の信号を１以上前記携帯端末に送信する初期情報送信手段と、を備え、
前記携帯端末は、内蔵する加速度センサの変異により前記情報配信装置から送信される前記信号を受信すると共に受信した前記信号に対応した一覧を表示する表示手段を含む初期情報受信手段と、前記一覧から１を選択する選択手段を含み選択した前記情報配信装置から受信した前記信号を含む間接要求データを前記登録情報配信サーバに送信する要求間接送信手段と、前記登録情報配信サーバから送信される前記識別番号に紐付けされた前記コンテンツを受信するコンテンツ間接受信手段と、を備え、
前記登録情報配信サーバは、前記携帯端末から送信される前記間接要求データを受信する要求間接受信手段と、前記識別番号に紐付けされた前記コンテンツを記憶するコンテンツデータベースと、前記コンテンツを前記携帯端末に送信するコンテンツ間接送信手段と、
を備えることを特徴とする簡易情報配信システム。
【請求項２】
前記情報配信装置は、１ｍｓ以下の周期でチャンネルを切り替えながら前記携帯端末との間で送受信を可能とする近距離無線通信装置と、前記携帯端末から送信される前記信号を含む直接要求データを受信する要求直接受信手段と、前記識別番号に紐付けされた前記コンテンツを記憶する直接コンテンツデータベースと、前記コンテンツを前記携帯端末に送信するコンテンツ直接送信手段と、を備え、
前記携帯端末は、前記一覧から１を選択する前記選択手段を含み選択した前記情報配信装置から受信した前記信号を含む前記直接要求データを前記情報配信装置に送信する要求直接送信手段と、前記情報配信装置から送信される前記コンテンツを受信するコンテンツ直接受信手段と、
を備えることを特徴とする請求項１に記載の簡易情報配信システム。
【請求項３】
個別サーバを有し、
前記個別サーバは、前記登録情報配信サーバから送信される前記信号を含む間接仲介要求データを受信する要求間接仲介受信手段と、前記識別番号に紐付けされた前記コンテンツを記憶する個別コンテンツデータベースと、前記コンテンツを前記携帯端末に送信するコンテンツ間接仲介送信手段と、を備え、
前記携帯端末は、前記個別サーバから送信される前記コンテンツを受信するコンテンツ間接仲介受信手段を備え、
前記登録情報配信サーバは、前記間接仲介要求データを前記個別サーバに送信する要求間接仲介送信手段と、前記コンテンツ間接送信手段と前記要求間接仲介送信手段のうち適切な手段を決定する判定手段と、
を備えることを特徴とする請求項１又は２に記載の簡易情報配信システム。
【請求項４】
前記情報配信装置は、１ｍｓ以下の周期でチャンネルを切り替えながら前記携帯端末との間で送受信を可能とする近距離無線通信装置と、前記携帯端末から送信される前記信号を含む仲介要求データを受信する要求仲介受信手段と、前記仲介要求データを前記個別サーバに送信する個別サーバ要求仲介送信手段と、を備え、
前記携帯端末は、前記一覧から１を選択する前記選択手段を含み選択した前記情報配信装置から受信した前記信号を含む前記仲介要求データを前記情報配信装置に送信する要求仲介送信手段と、前記個別サーバから送信される前記コンテンツを受信するコンテンツ仲介受信手段と、を備え、
前記個別サーバは、前記情報配信装置から送信される前記仲介要求データを受信する要求コンテンツ仲介受信手段と、前記識別番号に紐付けされた前記コンテンツを記憶する個別コンテンツデータベースと、前記コンテンツを前記携帯端末に送信するコンテンツ仲介送信手段と、
を備えることを特徴とする請求項１〜３の何れか１項に記載の簡易情報配信システム。
【請求項５】
情報配信装置と、携帯端末と、登録情報配信サーバと、個別サーバからなり、必要なコンテンツを携帯端末で容易に確認することができる簡易情報配信システムが実行する簡易情報配信方法であって、
前記情報配信装置は、５０ｍｓ以上の定周期で信号を送信する無線信号発信機と、前記情報配信装置の識別番号を含み且つ提供すべきコンテンツに紐付けされた初期選択用の信号を１以上前記携帯端末に送信する初期情報送信手順と、１ｍｓ以下の周期でチャンネルを切り替えながら前記携帯端末との間で送受信を可能とする近距離無線通信装置と、前記携帯端末から送信される前記信号を含む直接要求データを受信する要求直接受信手順と、前記識別番号に紐付けされた前記コンテンツを記憶する直接コンテンツデータベースと、前記コンテンツを前記携帯端末に送信するコンテンツ直接送信手順と、前記携帯端末から送信される前記信号を含む仲介要求データを受信する要求仲介受信手順と、前記仲介要求データを前記個別サーバに送信する個別サーバ要求仲介送信手順と、からなり、
前記携帯端末は、内蔵する加速度センサの変異により前記情報配信装置から送信される前記信号を受信すると共に受信した前記信号に対応した一覧を表示する表示手順を含む初期情報受信手順と、前記一覧から１を選択する選択手順を含み選択した前記情報配信装置から受信した前記信号を含む間接要求データを前記登録情報配信サーバに送信する要求間接送信手順と、前記登録情報配信サーバから送信される前記識別番号に紐付けされた前記コンテンツを受信するコンテンツ間接受信手順と、前記一覧から１を選択する前記選択手順を含み選択した前記情報配信装置から受信した前記信号を含む前記直接要求データを前記情報配信装置に送信する要求直接送信手順と、前記情報配信装置から送信される前記コンテンツを受信するコンテンツ直接受信手順と、前記個別サーバから送信される前記コンテンツを受信するコンテンツ間接仲介受信手順と、前記一覧から１を選択する前記選択手順を含み選択した前記情報配信装置から受信した前記信号を含む前記仲介要求データを前記情報配信装置に送信する要求仲介送信手順と、前記個別サーバから送信される前記コンテンツを受信するコンテンツ仲介受信手順と、からなり、
前記登録情報配信サーバは、前記携帯端末から送信される前記間接要求データを受信する要求間接受信手順と、前記識別番号に紐付けされた前記コンテンツを記憶するコンテンツデータベースと、前記コンテンツを前記携帯端末に送信するコンテンツ間接送信手順と、前記間接仲介要求データを前記個別サーバに送信する要求間接仲介送信手順と、前記コンテンツ間接送信手順と前記要求間接仲介送信手順のうち適切な手順を決定する判定手順と、からなり、
前記個別サーバは、前記登録情報配信サーバから送信される前記信号を含む間接仲介要求データを受信する要求間接仲介受信手順と、前記識別番号に紐付けされた前記コンテンツを記憶する個別コンテンツデータベースと、前記コンテンツを前記携帯端末に送信するコンテンツ間接仲介送信手順と、前記情報配信装置から送信される前記仲介要求データを受信する要求コンテンツ仲介受信手順と、前記識別番号に紐付けされた前記コンテンツを記憶する個別コンテンツデータベースと、前記コンテンツを前記携帯端末に送信するコンテンツ仲介送信手順と、からなることで、
これらを簡易情報配信システムが実行することを特徴とする簡易情報配信方法。
【発明の詳細な説明】
【技術分野】
【０００１】
本発明は、眼前の店舗や交通機関乗場等の情報を携帯端末で容易に確認することができる簡易情報配信システムに関する。
【背景技術】
【０００２】
従来、旅行や出張等で初めて訪れる場所では、そこで食事や買物等を行う場合には予め下調べをした上で目的とする店舗に入店することが多い。事前の下調べにおいては、書籍類を参照することが一般的であるが、近年では、情報ネットワーク環境の急速な発展に伴い、通信手段を有する携帯端末を用いることで周辺の店舗情報を容易に入手することができるようになった。
【０００３】
しかしながら、書籍類では紙面の関係上、主力製品やトピックスといった店舗情報の概要のみを掲載するのが一般的であり、しかも、最新の店舗情報を逐次掲載することはできない。
【０００４】
また、携帯端末においては、周辺の店舗情報から目的の店舗を選択する必要があり、更に、選択した店舗の詳細な情報を得るためには該店舗のＷＥＢホームページ等を表示させ、しかも、階層化されたＷＥＢホームページ等から必要な情報を探し出す手間が生じていた。
【０００５】
このような状況において、事前に下調べをすることなく訪れた場所で眼前の店舗の雰囲気等を確認した上で該店舗の情報を容易に得たいという要求が高まっており、例えば、特許文献１に記載の情報提供システムに係る技術が開示されている。
【０００６】
本技術によれば、旅行者等が所持する携帯端末と、店舗等に設置され携帯端末と送受信可能な無線通信装置及びネットワークを介して管理会社のサーバーと接続された端末装置と、予め店舗情報を記憶した管理会社のサーバーと、で構成されており、旅行者等が携帯端末を用いて店舗の前で最新の店舗情報を得ることができるものである。
【先行技術文献】
【特許文献】
【０００７】
【特許文献１】特開２００２−１４９５２０号公報
【発明の概要】
【発明が解決しようとする課題】
【０００８】
確かに特許文献１に記載の技術によれば、旅行者等が店舗等の前で携帯端末を用いて店舗情報の要求送信を行うことで容易に最新の店舗情報を入手できる点で優れている。しかしながら、情報入手の最初のステップが旅行者等による送信操作であり、希望する情報が複数の異なるカテゴリーに及ぶものであった場合でも要求送信の段階でこれらを選択することができないため、携帯端末で店舗情報を受信した後、更に情報検索を行う必要性が生じる場合もあり、必ずしも希望する情報を容易に入手できるとは言い難い。
【０００９】
特に、外国人の旅行者においては、要求送信の段階で情報の選択ができないため、携帯端末で受信する店舗情報が当初より旅行者の母国語で記載されたものでない限り、携帯端末で翻訳機能を活用しながら店舗情報を得なければならないため非常に煩雑な作業を伴うことになる。
【００１０】
また、特許文献１に記載の技術によれば、携帯端末と店舗側とはＢｌｕｅｔｏｏｔｈ（登録商標）規格により送受信するアドホック通信のみを採用していることから、店舗側から送信される情報量の多少に関わらず常時受信状態を維持するために電力消費量の面で不利である。
【００１１】
更に、要求送信のために携帯端末のＢｌｕｅｔｏｏｔｈ（登録商標）機能をＯＮ状態とした場合、近傍に他用途のＢｌｕｅｔｏｏｔｈ（登録商標）機器が稼働しているとこれらの電波を受信して混線したり、近傍に同様の情報提供システムが稼働していれば、情報入手を希望する店舗以外にも要求送信が送られる問題を有しており改善の余地がある。
【００１２】
本発明は、以上のような事情に鑑みてなされたものであり、店舗等に設置される５０ｍｓ以上の定周期で信号を送信する無線信号発信機により電力消費量を抑え、この信号を携帯端末の自発的な受信アクションにより１以上の信号を受信しつつ選択可能な一覧を表示すると共に、選択した情報を登録情報配信サーバ等から容易に得ることで、眼前の店舗や交通機関乗場等の情報を携帯端末で容易に確認することができる簡易情報配信システムを提供することにある。
【課題を解決するための手段】
【００１３】
以上のような目的を達成するために、本発明は以下の技術を提供する。
【００１４】
請求項１に係る発明では、情報配信装置と、携帯端末と、登録情報配信サーバと、からなる簡易情報配信システムであって、前記情報配信装置は、５０ｍｓ以上の定周期で信号を送信する無線信号発信機と、前記情報配信装置の識別番号を含み且つ提供すべきコンテンツに紐付けされた初期選択用の信号を１以上前記携帯端末に送信する初期情報送信手段と、を備え、前記携帯端末は、内蔵する加速度センサの変異により前記情報配信装置から送信される前記信号を受信すると共に受信した前記信号に対応した一覧を表示する表示手段を含む初期情報受信手段と、前記一覧から１を選択する選択手段を含み選択した前記情報配信装置から受信した前記信号を含む間接要求データを前記登録情報配信サーバに送信する要求間接送信手段と、前記登録情報配信サーバから送信される前記識別番号に紐付けされた前記コンテンツを受信するコンテンツ間接受信手段と、を備え、前記登録情報配信サーバは、前記携帯端末から送信される前記間接要求データを受信する要求間接受信手段と、前記識別番号に紐付けされた前記コンテンツを記憶するコンテンツデータベースと、前記コンテンツを前記携帯端末に送信するコンテンツ間接送信手段と、を備えることを特徴とする簡易情報配信システムを提供せんとする。
【００１５】
請求項２に係る発明では、前記情報配信装置は、１ｍｓ以下の周期でチャンネルを切り替えながら前記携帯端末との間で送受信を可能とする近距離無線通信装置と、前記携帯端末から送信される前記信号を含む直接要求データを受信する要求直接受信手段と、前記識別番号に紐付けされた前記コンテンツを記憶する直接コンテンツデータベースと、前記コンテンツを前記携帯端末に送信するコンテンツ直接送信手段と、を備え、前記携帯端末は、前記一覧から１を選択する前記選択手段を含み選択した前記情報配信装置から受信した前記信号を含む前記直接要求データを前記情報配信装置に送信する要求直接送信手段と、前記情報配信装置から送信される前記コンテンツを受信するコンテンツ直接受信手段と、を備えることを特徴とする請求項１に記載の簡易情報配信システムを提供せんとする。
【００１６】
請求項３に係る発明では、個別サーバを有し、前記個別サーバは、前記登録情報配信サーバから送信される前記信号を含む間接仲介要求データを受信する要求間接仲介受信手段と、前記識別番号に紐付けされた前記コンテンツを記憶する個別コンテンツデータベースと、前記コンテンツを前記携帯端末に送信するコンテンツ間接仲介送信手段と、を備え、前記携帯端末は、前記個別サーバから送信される前記コンテンツを受信するコンテンツ間接仲介受信手段を備え、前記登録情報配信サーバは、前記間接仲介要求データを前記個別サーバに送信する要求間接仲介送信手段と、前記コンテンツ間接送信手段と前記要求間接仲介送信手段のうち適切な手段を決定する判定手段と、を備えることを特徴とする請求項１又は２に記載の簡易情報配信システムを提供せんとする。
【００１７】
請求項４に係る発明では、前記情報配信装置は、１ｍｓ以下の周期でチャンネルを切り替えながら前記携帯端末との間で送受信を可能とする近距離無線通信装置と、前記携帯端末から送信される前記信号を含む仲介要求データを受信する要求仲介受信手段と、前記仲介要求データを前記個別サーバに送信する個別サーバ要求仲介送信手段と、を備え、前記携帯端末は、前記一覧から１を選択する前記選択手段を含み選択した前記情報配信装置から受信した前記信号を含む前記仲介要求データを前記情報配信装置に送信する要求仲介送信手段と、前記個別サーバから送信される前記コンテンツを受信するコンテンツ仲介受信手段と、を備え、前記個別サーバは、前記情報配信装置から送信される前記仲介要求データを受信する要求コンテンツ仲介受信手段と、前記識別番号に紐付けされた前記コンテンツを記憶する個別コンテンツデータベースと、前記コンテンツを前記携帯端末に送信するコンテンツ仲介送信手段と、を備えることを特徴とする請求項１〜３の何れか１項に記載の簡易情報配信システムを提供せんとする。
【００１８】
請求項５に係る発明では、情報配信装置と、携帯端末と、登録情報配信サーバと、個別サーバからなり、必要なコンテンツを携帯端末で容易に確認することができる簡易情報配信システムが実行する簡易情報配信方法であって、前記情報配信装置は、５０ｍｓ以上の定周期で信号を送信する無線信号発信機と、前記情報配信装置の識別番号を含み且つ提供すべきコンテンツに紐付けされた初期選択用の信号を１以上前記携帯端末に送信する初期情報送信手順と、１ｍｓ以下の周期でチャンネルを切り替えながら前記携帯端末との間で送受信を可能とする近距離無線通信装置と、前記携帯端末から送信される前記信号を含む直接要求データを受信する要求直接受信手順と、前記識別番号に紐付けされた前記コンテンツを記憶する直接コンテンツデータベースと、前記コンテンツを前記携帯端末に送信するコンテンツ直接送信手順と、前記携帯端末から送信される前記信号を含む仲介要求データを受信する要求仲介受信手順と、前記仲介要求データを前記個別サーバに送信する個別サーバ要求仲介送信手順と、からなり、前記携帯端末は、内蔵する加速度センサの変異により前記情報配信装置から送信される前記信号を受信すると共に受信した前記信号に対応した一覧を表示する表示手順を含む初期情報受信手順と、前記一覧から１を選択する選択手順を含み選択した前記情報配信装置から受信した前記信号を含む間接要求データを前記登録情報配信サーバに送信する要求間接送信手順と、前記登録情報配信サーバから送信される前記識別番号に紐付けされた前記コンテンツを受信するコンテンツ間接受信手順と、前記一覧から１を選択する前記選択手順を含み選択した前記情報配信装置から受信した前記信号を含む前記直接要求データを前記情報配信装置に送信する要求直接送信手順と、前記情報配信装置から送信される前記コンテンツを受信するコンテンツ直接受信手順と、前記個別サーバから送信される前記コンテンツを受信するコンテンツ間接仲介受信手順と、前記一覧から１を選択する前記選択手順を含み選択した前記情報配信装置から受信した前記信号を含む前記仲介要求データを前記情報配信装置に送信する要求仲介送信手順と、前記個別サーバから送信される前記コンテンツを受信するコンテンツ仲介受信手順と、からなり、前記登録情報配信サーバは、前記携帯端末から送信される前記間接要求データを受信する要求間接受信手順と、前記識別番号に紐付けされた前記コンテンツを記憶するコンテンツデータベースと、前記コンテンツを前記携帯端末に送信するコンテンツ間接送信手順と、前記間接仲介要求データを前記個別サーバに送信する要求間接仲介送信手順と、前記コンテンツ間接送信手順と前記要求間接仲介送信手順のうち適切な手順を決定する判定手順と、からなり、前記個別サーバは、前記登録情報配信サーバから送信される前記信号を含む間接仲介要求データを受信する要求間接仲介受信手順と、前記識別番号に紐付けされた前記コンテンツを記憶する個別コンテンツデータベースと、前記コンテンツを前記携帯端末に送信するコンテンツ間接仲介送信手順と、前記情報配信装置から送信される前記仲介要求データを受信する要求コンテンツ仲介受信手順と、前記識別番号に紐付けされた前記コンテンツを記憶する個別コンテンツデータベースと、前記コンテンツを前記携帯端末に送信するコンテンツ仲介送信手順と、からなることで、これらを簡易情報配信システムが実行することを特徴とする簡易情報配信方法を提供せんとする。
【発明の効果】
【００１９】
請求項１記載の発明によれば、情報配信装置と、携帯端末と、登録情報配信サーバと、からなる簡易情報配信システムであって、情報配信装置は、５０ｍｓ以上の定周期で信号を送信する無線信号発信機と、情報配信装置の識別番号を含み且つ提供すべきコンテンツに紐付けされた初期選択用の信号を１以上携帯端末に送信する初期情報送信手段と、を備え、携帯端末は、内蔵する加速度センサの変異により情報配信装置から送信される信号を受信すると共に受信した信号に対応した一覧を表示する表示手段を含む初期情報受信手段と、一覧から１を選択する選択手段を含み選択した情報配信装置から受信した信号を含む間接要求データを登録情報配信サーバに送信する要求間接送信手段と、登録情報配信サーバから送信される識別番号に紐付けされたコンテンツを受信するコンテンツ間接受信手段と、を備え、登録情報配信サーバは、携帯端末から送信される間接要求データを受信する要求間接受信手段と、識別番号に紐付けされたコンテンツを記憶するコンテンツデータベースと、コンテンツを携帯端末に送信するコンテンツ間接送信手段と、を備えることより、情報配信装置により常時信号を送信しても電力消費量を抑えることができ、しかも、携帯端末自体を振る等の自発的な受信アクションにより１以上の信号を受信しつつ選択可能な一覧を携帯端末の表示機に表示することができるので、他の店舗等から送信される信号との混線が生じ難く眼前の店舗等から送信される信号を確実に受信し確認することができる。
【００２０】
また、携帯端末の表示機に表示された一覧から必要な情報を選択することができ、選択した情報を登録情報配信サーバ等から容易に得ることで、眼前の店舗や交通機関乗場等の情報を携帯端末で容易に確認することができるので、例えば、外国人の旅行者が母国語による情報を選択して希望する情報を容易に入手することができる。
【００２１】
請求項２記載の発明によれば、情報配信装置は、１ｍｓ以下の周期でチャンネルを切り替えながら携帯端末との間で送受信を可能とする近距離無線通信装置と、携帯端末から送信される信号を含む直接要求データを受信する要求直接受信手段と、識別番号に紐付けされたコンテンツを記憶する直接コンテンツデータベースと、コンテンツを携帯端末に送信するコンテンツ直接送信手段と、を備え、携帯端末は、一覧から１を選択する選択手段を含み選択した情報配信装置から受信した信号を含む直接要求データを情報配信装置に送信する要求直接送信手段と、情報配信装置から送信されるコンテンツを受信するコンテンツ直接受信手段と、を備えることより、店舗等に設置された情報配信装置と携帯端末との間で直に送受信が可能となり、ネットワークの混雑に左右されず、しかも、登録情報配信サーバに情報を登録する必要が無く最新情報の配信が容易となる。
【００２２】
また、逐次登録情報配信サーバに登録することなく運用できるので、登録情報配信サーバのメンテナンスやトラブルの影響を受けることがない。
【００２３】
請求項３記載の発明によれば、個別サーバを有し、個別サーバは、登録情報配信サーバから送信される信号を含む間接仲介要求データを受信する要求間接仲介受信手段と、識別番号に紐付けされたコンテンツを記憶する個別コンテンツデータベースと、コンテンツを携帯端末に送信するコンテンツ間接仲介送信手段と、を備え、携帯端末は、個別サーバから送信されるコンテンツを受信するコンテンツ間接仲介受信手段を備え、登録情報配信サーバは、間接仲介要求データを個別サーバに送信する要求間接仲介送信手段と、コンテンツ間接送信手段と要求間接仲介送信手段のうち適切な手段を決定する判定手段と、を備えることより、店舗等の情報提供者が提携する別企業等によるサービス、例えば、専用アプリケーションの提供や専門性が高く日々更新されるような情報については別企業等のサーバを個別サーバとすることで、これらを逐次登録情報配信サーバに登録することなく運用できるので提供できる情報量を簡易に増加でき、しかも、管理が容易となる。
【００２４】
また、情報配信装置は電力消費量を抑えた無線信号発信機で信号を送信することで該装置を蓄電池により稼働させることができるので、情報配信装置を複数個所に容易に設置することができる。
【００２５】
従って、例えば、タクシー会社等のサーバを個別サーバとすれば、複数のタクシー乗場に情報配信装置を設置して広範囲に渡りサービスを提供することができると共に、携帯端末の利用者がタクシー会社等のＷＥＢホームページを検索してアクセスする手間を省略でき、ピンポイントでタクシー会社等の独自の配車システムを容易に利用でき、しかも、識別番号により、どのタクシー乗場から配車依頼が来ているのかを容易に知ることができる。特に、外国人の旅行者においては、一覧からの選択時に母国語を選択して操作を開始していれば、難しいタクシーの配車手続を容易に行うことができる。
【００２６】
請求項４記載の発明によれば、情報配信装置は、１ｍｓ以下の周期でチャンネルを切り替えながら携帯端末との間で送受信を可能とする近距離無線通信装置と、携帯端末から送信される信号を含む仲介要求データを受信する要求仲介受信手段と、仲介要求データを個別サーバに送信する個別サーバ要求仲介送信手段と、を備え、携帯端末は、一覧から１を選択する選択手段を含み選択した情報配信装置から受信した信号を含む仲介要求データを情報配信装置に送信する要求仲介送信手段と、個別サーバから送信されるコンテンツを受信するコンテンツ仲介受信手段と、を備え、個別サーバは、情報配信装置から送信される仲介要求データを受信する要求コンテンツ仲介受信手段と、識別番号に紐付けされたコンテンツを記憶する個別コンテンツデータベースと、コンテンツを携帯端末に送信するコンテンツ仲介送信手段と、を備えることより、登録情報配信サーバーを経由せずに個別サーバにアクセスできるので、店舗等の情報提供者が提携する別企業等によるサービス、例えば、専用アプリケーションの提供や専門性が高く日々更新されるような情報について別企業等のサーバを個別サーバとすることで、これらを逐次登録情報配信サーバに登録することなく運用でき、しかも、登録情報配信サーバのメンテナンスやトラブルの影響を受けることがない。
【００２７】
請求項５記載の発明によれば、情報配信装置と、携帯端末と、登録情報配信サーバと、個別サーバからなり、必要なコンテンツを携帯端末で容易に確認することができる簡易情報配信システムが実行する簡易情報配信方法であって、情報配信装置は、５０ｍｓ以上の定周期で信号を送信する無線信号発信機と、情報配信装置の識別番号を含み且つ提供すべきコンテンツに紐付けされた初期選択用の信号を１以上携帯端末に送信する初期情報送信手順と、１ｍｓ以下の周期でチャンネルを切り替えながら携帯端末との間で送受信を可能とする近距離無線通信装置と、携帯端末から送信される信号を含む直接要求データを受信する要求直接受信手順と、識別番号に紐付けされたコンテンツを記憶する直接コンテンツデータベースと、コンテンツを携帯端末に送信するコンテンツ直接送信手順と、携帯端末から送信される信号を含む仲介要求データを受信する要求仲介受信手順と、仲介要求データを個別サーバに送信する個別サーバ要求仲介送信手順と、からなり、携帯端末は、内蔵する加速度センサの変異により情報配信装置から送信される信号を受信すると共に受信した信号に対応した一覧を表示する表示手順を含む初期情報受信手順と、一覧から１を選択する選択手順を含み選択した情報配信装置から受信した信号を含む間接要求データを登録情報配信サーバに送信する要求間接送信手順と、登録情報配信サーバから送信される識別番号に紐付けされたコンテンツを受信するコンテンツ間接受信手順と、一覧から１を選択する選択手順を含み選択した情報配信装置から受信した信号を含む直接要求データを情報配信装置に送信する要求直接送信手順と、情報配信装置から送信されるコンテンツを受信するコンテンツ直接受信手順と、個別サーバから送信されるコンテンツを受信するコンテンツ間接仲介受信手順と、一覧から１を選択する選択手順を含み選択した情報配信装置から受信した信号を含む仲介要求データを情報配信装置に送信する要求仲介送信手順と、個別サーバから送信されるコンテンツを受信するコンテンツ仲介受信手順と、からなり、登録情報配信サーバは、携帯端末から送信される間接要求データを受信する要求間接受信手順と、識別番号に紐付けされたコンテンツを記憶するコンテンツデータベースと、コンテンツを携帯端末に送信するコンテンツ間接送信手順と、間接仲介要求データを個別サーバに送信する要求間接仲介送信手順と、コンテンツ間接送信手順と要求間接仲介送信手順のうち適切な手順を決定する判定手順と、からなり、個別サーバは、登録情報配信サーバから送信される信号を含む間接仲介要求データを受信する要求間接仲介受信手順と、識別番号に紐付けされたコンテンツを記憶する個別コンテンツデータベースと、コンテンツを携帯端末に送信するコンテンツ間接仲介送信手順と、情報配信装置から送信される仲介要求データを受信する要求コンテンツ仲介受信手順と、識別番号に紐付けされたコンテンツを記憶する個別コンテンツデータベースと、コンテンツを携帯端末に送信するコンテンツ仲介送信手順と、からなることで、これらを簡易情報配信システムが実行することにより、眼前の店舗等の情報を携帯端末で容易に入手できると共に、配信されるコンテンツの種類や性質、データ容量の大小等に応じてコンテンツを記憶しておく装置を任意に選択できるため効率よくコンテンツを配信することができ、しかも、コンテンツを記憶しておく装置を重複して構成しておけばトラブル時のバックアップとして機能させることができる。
【００２８】
また、携帯端末自体を振る等の自発的な受信アクションにより１以上の信号を受信しつつ選択可能な一覧を携帯端末の表示機に表示することができるので、他の店舗等から送信される信号との混線が生じ難く眼前の店舗等から送信される信号を確実に受信し確認することができる。
【００２９】
更に、携帯端末の表示機に表示された一覧から必要な情報を選択することができ、選択した情報を登録情報配信サーバ等から容易に得ることで、眼前の店舗や交通機関乗場等の情報を携帯端末で容易に確認することができるので、例えば、外国人の旅行者が母国語による情報を選択して希望する情報を容易に入手することができる。
【図面の簡単な説明】
【００３０】
【図１】実施形態に係る簡易情報配信システムのネットワーク構成を示す説明図である。
【図２】第一実施形態に係る簡易情報配信システムのネットワーク構成を示す説明図である。
【図３】第二実施形態に係る簡易情報配信システムのネットワーク構成を示す説明図である。
【図４】第三実施形態に係る簡易情報配信システムのネットワーク構成を示す説明図である。
【図５】第四実施形態に係る簡易情報配信システムのネットワーク構成を示す説明図である。
【図６】簡易情報配信システムの情報配信装置の概略構成を示す図である。
【図７】簡易情報配信システムの携帯端末の概略構成を示す図である。
【図８】簡易情報配信システムの登録情報配信サーバの概略構成を示す図である。
【図９】簡易情報配信システムの個別サーバの概略構成を示す図である。
【図１０】簡易情報配信システムにおける手順を示すフロー図である。
【発明を実施するための形態】
【００３１】
本発明の実施形態に係る簡易情報配信システムの要旨は、情報配信装置と、携帯端末と、登録情報配信サーバと、からなる簡易情報配信システムであって、情報配信装置は、５０ｍｓ以上の定周期で信号を送信する無線信号発信機と、情報配信装置の識別番号を含み且つ提供すべきコンテンツに紐付けされた初期選択用の信号を１以上携帯端末に送信する初期情報送信手段と、を備え、携帯端末は、内蔵する加速度センサの変異により情報配信装置から送信される信号を受信すると共に受信した信号に対応した一覧を表示する表示手段を含む初期情報受信手段と、一覧から１を選択する選択手段を含み選択した情報配信装置から受信した信号を含む間接要求データを登録情報配信サーバに送信する要求間接送信手段と、登録情報配信サーバから送信される識別番号に紐付けされたコンテンツを受信するコンテンツ間接受信手段と、を備え、登録情報配信サーバは、携帯端末から送信される間接要求データを受信する要求間接受信手段と、識別番号に紐付けされたコンテンツを記憶するコンテンツデータベースと、コンテンツを携帯端末に送信するコンテンツ間接送信手段と、を備えることを特徴とする。すなわち、店舗等に設置される５０ｍｓ以上の定周期で信号を送信する無線信号発信機により電力消費量を抑え、この信号を携帯端末の自発的な受信アクションにより１以上の信号を受信しつつ選択可能な一覧を表示すると共に、選択した情報を登録情報配信サーバ等から容易に得ることで、眼前の店舗や交通機関乗場等の情報を携帯端末で容易に確認することができる簡易情報配信システムの提供を図ろうとするものである。
【００３２】
ここで、簡易情報配信システムの基本構成は、該システムを運営する管理会社により登録情報配信サーバが管理され、顧客に店舗や施設の情報を知ってもらうことで売り上げを向上させたい店主や施設の管理者が情報配信装置を店舗や施設に設置するものである。
【００３３】
従って、登録情報配信サーバには店舗等（情報配信装置）が顧客に提供したいコンテンツを蓄積しておく必要があり、図１に示すように、予め、コンテンツをネットワークにより情報配信装置から登録情報配信サーバに送信しておくか、ＵＳＢ等の外部記憶装置により管理会社に提供しておく必要がある。
【００３４】
また、顧客に提供したいコンテンツの種類や性質、データ容量の大小により、登録情報配信サーバ以外にもコンテンツを蓄積しておくことができ、本実施形態では個別サーバや情報配信装置にもコンテンツを蓄積することが可能である。
【００３５】
個別サーバは、店主等が利用したい別会社のコンテンツを提供する場合や、タクシー会社等がタクシー乗場に情報配信装置を設置し独自の配車システムを個別サーバに蓄積しておく等でき、情報配信装置にもコンテンツを蓄積する場合は、バス亭や駅で時刻表や運航案内を配信したり等できる。
【００３６】
特に、個別サーバや情報配信装置にもデータ容量の大きいコンテンツを蓄積することで、母国語での情報が欲しい外国人の旅行者等が母国語で記載されたコンテンツを利用しやすくなる点で非常に有効である。
【００３７】
従って、個別サーバへのコンテンツの送信については、予め、コンテンツをネットワークにより情報配信装置から個別サーバに送信しておくか、登録情報配信サーバから個別サーバに送信しておくか、ＵＳＢ等の外部記憶装置により管理会社に提供しておく必要があり、情報配信装置については単独で蓄積することができる。
【００３８】
また、本実施形態に係る簡易情報配信システムの情報配信装置が備える無線信号発信機と近距離無線通信装置は、２．４ＧＨｚ帯の電波を利用するＢｌｕｅｔｏｏｔｈ（登録商標）等の近距離無線通信規格により構成された機器であり、本実施形態では両機器を規格の異なるＢｌｕｅｔｏｏｔｈ（登録商標）機器で構成し、無線信号発信機は５０ｍｓ以上の送信間隔で作動する送信専用の機器で、電力消費量を考慮すると５０ｍｓ以上で８００ｍｓ以下の送信間隔で作動させることが望ましく、また、無線信号発信機を蓄電池により長時間作動させる必要があれば５０ｍｓ以上で１５０ｍｓ以下の送信間隔で作動させることが更に望ましい。
【００３９】
また、近距離無線通信装置は、１ｍｓ以下の周期でチャンネルを切り替えながら送受信を行うことができる一般的なＢｌｕｅｔｏｏｔｈ（登録商標）機器である。すなわち、無線信号発信機は送信専用でデータ容量が小さい送信に適しており、近距離無線通信装置は双方向で送受信可能でデータ容量が大きい送信に適している。
【００４０】
また、本実施形態に係る簡易情報配信システムの携帯端末は、インターフェース装置として無線信号発信機と近距離無線通信装置の両方に対応したＢｌｕｅｔｏｏｔｈ（登録商標）機器を備えることで情報配信装置と携帯端末との送受信が可能となっている。
【００４１】
また、携帯端末は、無線電話通信が可能な無線装置を備えることでインターネット等のネットワークを利用可能な機器として説明しているが、Ｗｉ−Ｆｉ等の無線ＬＡＮが利用できる環境であれば無線電話通信に限定されず無線ＬＡＮにより代替することもできる。
【００４２】
また、簡易情報配信システムの使用においては、携帯端末に後述する専用のアプリケーションである情報入手プログラムを予めインストールしておくことが前提となり、携帯端末のＢｌｕｅｔｏｏｔｈ（登録商標）機器をＯＮ状態としても、受信のための動作となる携帯端末を振る動作（以下、シェイクとする）を起こさない限り情報配信装置から送信される信号を受信することもない。
【００４３】
なお、情報配信装置から最初に送信される信号を携帯端末で受信するための動作は、携帯端末が内蔵する３次元加速度センサで検知可能な動作であればシェイクに限らず如何なる動作であってもよい。
【００４４】
以下、本発明に係る簡易情報配信システムの４つの実施形態について図面を参照しながら説明する。
【００４５】
[第一実施形態]
本発明の第一実施形態に係る簡易情報配信システムＡ１は、図２、図６〜図８に示すように、情報配信装置１と、携帯端末８と、登録情報配信サーバ１２と、からなる簡易情報配信システムＡ１であって、情報配信装置１は、５０ｍｓ以上の定周期で信号を送信する無線信号発信機５と、情報配信装置１の識別番号Ｚを含み且つ提供すべきコンテンツｆに紐付けされた初期選択用の信号ａを１以上携帯端末８に送信する初期情報送信手段２１と、を備え、携帯端末８は、内蔵する加速度センサ１０の変異により情報配信装置１から送信される信号ａを受信すると共に受信した信号ａに対応した一覧を表示する表示手段２３を含む初期情報受信手段２２と、一覧から１を選択する選択手段２４を含み選択した情報配信装置１から受信した信号ａを含む間接要求データｂを登録情報配信サーバ１２に送信する要求間接送信手段２５と、登録情報配信サーバ１２から送信される識別番号Ｚに紐付けされたコンテンツｆを受信するコンテンツ間接受信手段２９と、を備え、登録情報配信サーバ１２は、携帯端末８から送信される間接要求データｂを受信する要求間接受信手段２６と、識別番号Ｚに紐付けされたコンテンツｆを記憶するコンテンツデータベース１３と、コンテンツｆを携帯端末８に送信するコンテンツ間接送信手段２８と、を備えている。
【００４６】
図２に示すように、情報配信装置１と登録情報配信サーバ１２とはインターネット等のネットワークＮを介して送受信可能に構成しており、情報配信装置１と携帯端末８とはＢｌｕｅｔｏｏｔｈ（登録商標）により情報配信装置１が送信した信号ａを携帯端末８で受信可能に構成しており、携帯端末８と登録情報配信サーバ１２とはインターネット等のネットワークＮを介して送受信可能に構成している。
【００４７】
情報配信装置１は店舗等に設置され無線信号発信機５により信号ａを送信すると共に、店舗等の外観で見易い位置に情報配信のための信号ａを発信していることが分かる掲示物Ｓを掲げている。従って、携帯端末８を所持する者が眼前の店舗等で掲示物Ｓを視認することで情報を受信するための操作を行うことができる。
【００４８】
無線信号発信機５から送信される信号は５０ｍｓ以上の定周期の信号であり、送信される情報はデータ容量の小さいものに限られる。
【００４９】
なお、掲示物Ｓには受信のための操作方法を記載することもできるが、本実施形態においては、携帯端末８をシェイクすることにより受信可能であることを示す簡易なイラストを表示するものとして説明している。
【００５０】
携帯端末８をシェイクすることで店舗等から発信された信号ａを受信すると、携帯端末８の表示機には初期情報の一覧が表示され、一覧の中から必要な情報に関連する項目を選択することができる。
【００５１】
携帯端末８とネットワークＮを介して接続された登録情報配信サーバ１２は、選択された項目に合致した情報を携帯端末８に送信することで情報を入手することが可能となる。
【００５２】
以下、本第一実施形態について具体的に詳述する。
【００５３】
図６は、本発明の第一実施形態の簡易情報配信システムＡ１に係る情報配信装置１の概略構成を示す。情報配信装置１は、それぞれ第一バス５０で相互に接続された第一メモリ装置５１、第一演算処理装置５２、第一インターフェース装置５３、第一補助記憶装置５４、第一入力装置５５、第一出力装置５６を備える情報処理装置である。
【００５４】
第一メモリ装置５１は、情報配信装置１の起動時に第一補助記憶装置５４に記憶された初期情報配信プログラム４等のプログラムを読み出して記憶するＲＡＭ（RandomAccessMemory）等の記憶装置である。この第一メモリ装置５１は、初期情報配信プログラム４等の実行に必要なファイル、データ等も記憶する。第一演算処理装置５２は、第一メモリ装置５１に格納されたプログラムを実行するＣＰＵ（CentralProcessingUnit）等の演算処理装置である。第一インターフェース装置５３は、外部ネットワーク等に接続するためのインターフェース装置である。第一補助記憶装置５４は、初期情報配信プログラム４やファイル、データ等を記憶するＨＤＤ等の記憶装置である。第一入力装置５５は、ユーザインターフェースを提供する入力装置（例えばキーボード、マウス）である。第一出力装置５６は、ユーザインターフェースを提供する出力装置（例えばディスプレイ）である。
【００５５】
第一インターフェース装置５３は、ネットワークＮへの接続機器以外に、５０ｍｓ以上の定周期で信号を送信する無線信号発信機５を備え、無線信号発信機５は例えば、Ｂｌｕｅｔｏｏｔｈ（登録商標）等の近距離無線通信規格からなる送信専用の装置を採用し、電力消費量を抑えている。
【００５６】
なお、本実施形態に係る全ての簡易情報配信システムＡ１，Ａ２，Ａ３，Ａ４は、携帯端末８への初期的な送信アクセスとして無線信号発信機５から送信される信号ａがスタート信号となるように構成している。
【００５７】
第一補助記憶装置５４は、携帯端末８に送信すべく初期情報を記憶した初期情報データベース２と初期情報配信プログラム４とを含んでいる。初期情報とは、例えば、飲食店であればメニューや料金、営業時間や定休日、お店の特徴紹介等と言ったデータ容量が少ない簡易的な項目であり、これらを複数の言語で準備し選択可能に構成することもできる。
【００５８】
また、第一補助記憶装置５４は、情報配信装置１が設置される店舗等を識別する識別番号Ｚを記憶しており、無線信号発信機５から送信される信号ａには必ず識別番号Ｚが付加されるように構成している。なお、識別番号Ｚは、単に店舗等を識別するための番号や記号だけでなく、ＧＰＳ等で認識可能な位置情報データであってもよい。
【００５９】
また、識別番号Ｚには、信号ａを受信した携帯端末８が次にアクセスすべき装置のアドレス情報も含んでいる。従って、情報配信装置１から送信され携帯端末８で受信した複数の初期情報の項目から１を選択した際、入手したい情報が記憶されている装置に自動的にアクセスすることができる。
【００６０】
初期情報配信プログラム４は、初期情報送信手段２１を含み、初期情報送信手段２１は、初期情報に識別番号Ｚを付加した信号ａを無線信号発信機５から送信する。
【００６１】
このように情報配信装置１を構成することで、５０ｍｓ以上の定周期で識別番号を付加した初期情報の信号ａを店舗等の眼前に位置する携帯端末８に送信することができる。
【００６２】
なお、本実施形態では第一入力装置５５と第一出力装置５６は必須ではなく、また、別途の情報処理装置の組合せや無線信号発信機５の外部接続等、本発明の要旨の範囲内において種々の変形・変更が可能である。
【００６３】
次に、図７は、本発明の第一実施形態の簡易情報配信システムＡ１に係る携帯端末８の概略構成を示す。携帯端末８は、それぞれ第二バス５７で相互に接続された第二メモリ装置５８、第二演算処理装置５９、第二インターフェース装置６０、第二補助記憶装置６１、第二入力装置６２、第二出力装置６３を備える携帯型の情報処理装置である。
【００６４】
第二メモリ装置５８は、携帯端末８の起動時に第二補助記憶装置６１に記憶された情報入手プログラム９等のプログラムを読み出して記憶するＲＡＭ等の記憶装置である。この第二メモリ装置５８は、情報入手プログラム９等の実行に必要なファイル、データ等も記憶する。第二演算処理装置５９は、第二メモリ装置５８に格納されたプログラムを実行するＣＰＵ等の演算処理装置である。第二インターフェース装置６０は、外部ネットワーク等に接続するためのインターフェース装置である。第二補助記憶装置６１は、情報入手プログラム９やファイル、データ等を記憶するＨＤＤ等の記憶装置である。第二入力装置６２は、ユーザインターフェースを提供する入力装置（例えばタッチパネル、キーボード）である。第二出力装置６３は、ユーザインターフェースを提供する出力装置（例えばディスプレイ）である。
【００６５】
第二インターフェース装置６０は、無線電話通信機器１５以外に、５０ｍｓ以上の定周期の信号を受信可能なＢｌｕｅｔｏｏｔｈ（登録商標）による近距離無線通信規格からなる送受信機１６を備えている。
【００６６】
第二入力装置６２は３次元加速度センサ１０も備えており、シェイク等の携帯端末８の変異をアクションとして検知することができる。
【００６７】
第二出力装置６３では、表示機であるディスプレイにて情報配信装置１等から送信された初期情報の項目を一覧表示することができる。
【００６８】
第二補助記憶装置６１は、後述する情報入手プログラム９等の専用のアプリケーションを予め記憶しておくことで本簡易情報配信システムＡ１を利用することができる。
【００６９】
情報入手プログラム９は、初期情報受信手段２２と表示手段２３と要求間接送信手段２５と選択手段２４とコンテンツ間接受信手段２９とを含む。
【００７０】
初期情報受信手段２２は、内蔵する３次元加速度センサ１０の変異を検知して情報配信装置１から送信される信号ａを受信可能とし、受信した信号ａに対応する初期情報の項目を一覧にしてディスプレイに表示する表示手段２３を含んでいる。
【００７１】
要求間接送信手段２５は、一覧から１を選択する選択手段２４を含み、選択した情報配信装置１から受信した信号ａを含む間接要求データｂを後述する登録情報配信サーバ１２に送信する。
【００７２】
なお、選択手段２４は、第二入力装置６２のタッチパネル等により一覧から希望する１つの項目を選択することができるように構成している。
【００７３】
コンテンツ間接受信手段２９は、登録情報配信サーバ１２から送信される識別番号Ｚに紐付けされたコンテンツｆを受信してディスプレイに表示する。
【００７４】
このように携帯端末８を構成することで、情報配信装置１から送信される５０ｍｓ以上の定周期で識別番号Ｚを付加した初期情報の信号ａを、店舗等の眼前で携帯端末８をシェイク等することで受信して一覧を視認することができ、しかも、希望する情報を一覧から選択することで入手したい情報が記憶されている登録情報配信サーバ１２に自動的にアクセスして情報を得ることができる。
【００７５】
次に、図８は、本発明の第一実施形態の簡易情報配信システムＡ１に係る登録情報配信サーバ１２の概略構成を示す。登録情報配信サーバ１２は、それぞれ第三バス６４で相互に接続された第三メモリ装置６５、第三演算処理装置６６、第三インターフェース装置６７、第三補助記憶装置６８、第三入力装置６９、第三出力装置７０を備える情報処理装置である。
【００７６】
第三メモリ装置６５は、登録情報配信サーバ１２の起動時に第三補助記憶装置６８に記憶された統括送信プログラム１４等のプログラムを読み出して記憶するＲＡＭ等の記憶装置である。この第三メモリ装置６５は、統括送信プログラム１４等の実行に必要なファイル、データ等も記憶する。第三演算処理装置６６は、第三メモリ装置６５に格納されたプログラムを実行するＣＰＵ等の演算処理装置である。第三インターフェース装置６７は、外部ネットワーク等に接続するためのインターフェース装置である。第三補助記憶装置６８は、統括送信プログラム１４やファイル、データ等を記憶するＨＤＤ等の記憶装置である。第三入力装置６９は、ユーザインターフェースを提供する入力装置（例えばキーボード、マウス）である。第三出力装置７０は、ユーザインターフェースを提供する出力装置（例えばディスプレイ）である。
【００７７】
第三補助記憶装置６８は、携帯端末８に送信すべくコンテンツｆを記憶したコンテンツデータベース１３と統括送信プログラム１４とを含んでいる。コンテンツｆとは初期情報の具体的な中身であり、例えば、飲食店の場合、初期情報の項目でメニューを選択したなら、店舗で提供されるメニューの内容や画像がコンテンツｆであり、初期情報の項目で店舗専用のアプリケーションを選択したなら、そのアプリケーションそのものがコンテンツｆである。すなわち、携帯端末８を操作する者が入手したい情報等そのものがコンテンツｆである。
【００７８】
また、各コンテンツｆは全て識別番号Ｚと紐付けされて記憶されているので、携帯端末８から送信される間接要求データｂに対して適切なコンテンツｆを抽出することができる。
【００７９】
統括送信プログラム１４は、要求間接受信手段２６とコンテンツ間接送信手段２８とを含み、要求間接受信手段２６は、携帯端末８から送信される間接要求データｂを受信し、コンテンツ間接送信手段２８は、コンテンツデータベース１３から識別番号Ｚと紐付けされたコンテンツｆを抽出して携帯端末８に送信する。
【００８０】
このように登録情報配信サーバ１２を構成することで、携帯端末８から送信される識別番号Ｚを付加した間接要求データｂを受信し、識別番号Ｚに紐付けされたコンテンツｆをコンテンツデータベース１３から抽出して希望するコンテンツｆを携帯端末８に送信することができる。
【００８１】
以上、説明したように第一実施形態に係る簡易情報配信システムＡ１は、情報配信装置１と、携帯端末８と、登録情報配信サーバ１２と、からなる簡易情報配信システムＡ１であって、情報配信装置１は、５０ｍｓ以上の定周期で信号ａを送信する無線信号発信機５と、情報配信装置１の識別番号Ｚを含み且つ提供すべきコンテンツｆに紐付けされた初期選択用の信号ａを１以上携帯端末８に送信する初期情報送信手段２１と、を備え、携帯端末８は、内蔵する加速度センサ１０の変異により情報配信装置１から送信される信号ａを受信すると共に受信した信号ａに対応した一覧を表示する表示手段２３を含む初期情報受信手段２２と、一覧から１を選択する選択手段２４を含み選択した情報配信装置１から受信した信号ａを含む間接要求データｂを登録情報配信サーバ１２に送信する要求間接送信手段２５と、登録情報配信サーバ１２から送信される識別番号Ｚに紐付けされたコンテンツｆを受信するコンテンツ間接受信手段２９と、を備え、登録情報配信サーバ１２は、携帯端末８から送信される間接要求データｂを受信する要求間接受信手段２６と、識別番号Ｚに紐付けされたコンテンツｆを記憶するコンテンツデータベース１３と、コンテンツｆを携帯端末８に送信するコンテンツ間接送信手段２８と、を備えることより、情報配信装置１により常時信号を送信しても電力消費量を抑えることができ、しかも、携帯端末８自体を振る等の自発的な受信アクションにより１以上の信号ａを受信しつつ選択可能な一覧を携帯端末８の表示機に表示することができるので、他の店舗等から送信される信号との混線が生じ難く眼前の店舗等から送信される信号ａを確実に受信し確認することができる。
【００８２】
また、携帯端末８の表示機に表示された一覧から必要な情報を選択することができ、選択した情報を登録情報配信サーバ１２等から容易に得ることで、眼前の店舗や交通機関乗場等の情報を携帯端末８で容易に確認することができるので、例えば、外国人の旅行者が母国語による情報を選択して希望する情報を容易に入手することができる。
【００８３】
以下、本発明に係る簡易情報配信システムの第二実施形態について図面を参照しながら説明する。
【００８４】
[第二実施形態]
本発明の第二実施形態に係る簡易情報配信システムＡ２は、図３、図６、図７に示すように、情報配信装置１は、１ｍｓ以下の周期でチャンネルを切り替えながら携帯端末８との間で送受信を可能とする近距離無線通信装置６と、携帯端末８から送信される信号を含む直接要求データｃを受信する要求直接受信手段３１と、識別番号Ｚに紐付けされたコンテンツｆを記憶する直接コンテンツデータベース３と、コンテンツｆを携帯端末８に送信するコンテンツ直接送信手段３２と、を備え、携帯端末８は、一覧から１を選択する選択手段２４を含み選択した情報配信装置１から受信した信号ａを含む直接要求データｃを情報配信装置１に送信する要求直接送信手段３０と、情報配信装置１から送信されるコンテンツｆを受信するコンテンツ直接受信手段３３と、を備えている。
【００８５】
図３に示すように、情報配信装置１と携帯端末８とはＢｌｕｅｔｏｏｔｈ（登録商標）により送受信可能に構成している。
【００８６】
情報配信装置１は店舗等に設置され第一実施形態に係る簡易情報配信システムＡ１と同様に無線信号発信機５により信号ａを送信すると共に、店舗等の外観で見易い位置に情報配信のための信号ａを発信していることが分かる掲示物Ｓを掲げている。
【００８７】
情報配信装置１は、無線信号発信機５以外に、１ｍｓ以下の周期でチャンネルを切り替えながら送受信するＢｌｕｅｔｏｏｔｈ（登録商標）規格からなる近距離無線通信装置６も備えることで、無線信号発信機５によりデータ容量の小さい初期情報を送信し、これを受信した携帯端末８は近距離無線通信装置６を利用して必要なコンテンツｆを情報配信装置１に直接要求することができる。
【００８８】
すなわち、携帯端末８をシェイクすることで店舗等から発信された信号ａを受信すると、携帯端末８の表示機には初期情報の一覧が表示され、一覧の中から必要な情報に関連する項目を選択することができ、携帯端末８とＢｌｕｅｔｏｏｔｈ（登録商標）により接続された情報配信装置１は、選択された項目に合致した情報を携帯端末８に送信することで情報を入手することが可能となる。
【００８９】
次に、本第二実施形態について具体的に詳述するが、上述した第一実施形態に係る簡易情報配信システムＡ１の構成はそのまま維持されるため説明を適宜省略し、本実施形態で追加となる構成について具体的に説明する。
【００９０】
図６は、本発明の第二実施形態の簡易情報配信システムＡ２に係る情報配信装置１の概略構成を示す。第一インターフェース装置５３は、外部ネットワーク等に接続するためのインターフェース装置であり、無線信号発信機５の他にＢｌｕｅｔｏｏｔｈ（登録商標）規格からなる近距離無線通信装置６を備えている。
【００９１】
第一補助記憶装置５４は、携帯端末８に送信すべく初期情報を記憶した初期情報データベース２と初期情報の具体的な中身であるコンテンツｆを記憶した直接コンテンツデータベース３と初期情報配信プログラム４とを含んでいる。
【００９２】
初期情報配信プログラム４は、初期情報送信手段２１と要求直接受信手段３１とコンテンツ直接送信手段３２とを含み、要求直接受信手段３１は、必要なコンテンツｆを要求する携帯端末８から送信される識別番号Ｚを含む直接要求データｃを受信し、コンテンツ直接送信手段３２は、直接コンテンツデータベース３から識別番号Ｚと紐付けされたコンテンツｆを抽出して携帯端末８に送信する。
【００９３】
このように情報配信装置１を構成することで、店舗等の眼前に位置する携帯端末８にコンテンツｆを直接送信することができる。
【００９４】
なお、本実施形態では第一入力装置５５と第一出力装置５６は必須ではなく、また、別途の情報処理装置の組合せや無線信号発信機５の外部接続等、本発明の要旨の範囲内において種々の変形・変更が可能である。
【００９５】
次に、図７は、本発明の第二実施形態の簡易情報配信システムＡ２に係る携帯端末８の概略構成を示す。第二インターフェース装置６０は、外部ネットワーク等に接続するためのインターフェース装置であり、無線電話通信機器１５以外に、５０ｍｓ以上の定周期の信号を受信したり、１ｍｓ以下の周期でチャンネルを切り替えながら送受信可能なＢｌｕｅｔｏｏｔｈ（登録商標）等の近距離無線通信規格からなる送受信機１６を備えている。
【００９６】
第二補助記憶装置６１に含まれる情報入手プログラム９は、初期情報受信手段２２と表示手段２３と選択手段２４と要求直接送信手段３０とコンテンツ直接受信手段３３とを含む。
【００９７】
要求直接送信手段３０は、一覧から１を選択する選択手段２４を含み、情報配信装置１から受信した選択した信号ａを含む直接要求データｃを情報配信装置１に送信し、コンテンツ直接受信手段３３は、情報配信装置１から送信される識別番号Ｚに紐付けされたコンテンツを受信してディスプレイに表示する。
【００９８】
なお、選択手段２４は、第二入力装置６２のタッチパネル等により一覧から希望する１つの項目を選択することができるように構成している。
【００９９】
このように携帯端末８を構成することで、情報配信装置１から送信される５０ｍｓ以上の定周期で識別番号Ｚを付加した初期情報の信号ａを、店舗等の眼前で携帯端末８をシェイク等することで受信して一覧を視認することができ、しかも、希望する情報を一覧から選択することで入手したい情報が記憶されている情報配信装置１に自動的にアクセスして情報を得ることができる。
【０１００】
以上、説明したように第二実施形態に係る簡易情報配信システムＡ２は、情報配信装置１は、１ｍｓ以下の周期でチャンネルを切り替えながら携帯端末８との間で送受信を可能とする近距離無線通信装置６と、携帯端末８から送信される信号ａを含む直接要求データｃを受信する要求直接受信手段３１と、識別番号Ｚに紐付けされたコンテンツｆを記憶する直接コンテンツデータベース３と、コンテンツｆを携帯端末８に送信するコンテンツ直接送信手段３２と、を備え、携帯端末８は、一覧から１を選択する選択手段２４を含み選択した情報配信装置１から受信した信号ａを含む直接要求データｃを情報配信装置１に送信する要求直接送信手段３０と、情報配信装置１から送信されるコンテンツｆを受信するコンテンツ直接受信手段３３と、を備えることより、店舗等に設置された情報配信装置１と携帯端末８との間で直に送受信が可能となり、ネットワークＮの混雑に左右されず、しかも、登録情報配信サーバ１２に情報を登録する必要が無く最新情報の配信が容易となる。
【０１０１】
また、逐次登録情報配信サーバ１２に登録することなく運用できるので、登録情報配信サーバ１２のメンテナンスやトラブルの影響を受けることがない。
【０１０２】
以下、本発明に係る簡易情報配信システムの第三実施形態について図面を参照しながら説明する。
【０１０３】
[第三実施形態]
本発明の第三実施形態に係る簡易情報配信システムＡ３は、図４、図６〜図９に示すように、個別サーバ１８を有し、個別サーバ１８は、登録情報配信サーバ１２から送信される信号ａを含む間接仲介要求データｄを受信する要求間接仲介受信手段３５と、識別番号Ｚに紐付けされたコンテンツｆを記憶する個別コンテンツデータベース１９と、コンテンツｆを携帯端末８に送信するコンテンツ間接仲介送信手段３６と、を備え、携帯端末８は、個別サーバ１８から送信されるコンテンツｆを受信するコンテンツ間接仲介受信手段３７を備え、登録情報配信サーバ１２は、間接仲介要求データｄを個別サーバ１８に送信する要求間接仲介送信手段３４と、コンテンツ間接送信手段２８と要求間接仲介送信手段３４のうち適切な手段を決定する判定手段２７と、を備えている。
【０１０４】
図４に示すように、情報配信装置１と登録情報配信サーバ１２と個別サーバ１８とはインターネット等のネットワークＮを介して送受信可能に構成しており、情報配信装置１と携帯端末８とはＢｌｕｅｔｏｏｔｈ（登録商標）により情報配信装置１が送信した信号ａを携帯端末８で受信可能に構成しており、携帯端末８と登録情報配信サーバ１２と個別サーバ１８とはインターネット等のネットワークＮを介して送受信可能に構成している。
【０１０５】
情報配信装置１は店舗等に設置され第一・第二実施形態に係る簡易情報配信システムＡ１，Ａ２と同様に無線信号発信機５により信号ａを送信すると共に、店舗等の外観で見易い位置に情報配信のための信号ａを発信していることが分かる掲示物Ｓを掲げている。
【０１０６】
個別サーバ１８は、登録情報配信サーバ１２とは異なる場所に設置される別途の装置であり、登録情報配信サーバ１２では管理が煩雑である店舗等の情報提供者が提携する別企業等によるサービス、例えば、専用アプリケーションの提供や専門性が高く日々更新されるような情報を記憶して登録情報配信サーバ１２からの要求により携帯端末８に送信する。
【０１０７】
すなわち、携帯端末８をシェイクすることで店舗等から発信された信号ａを受信すると、携帯端末８の表示機には初期情報の一覧が表示され、一覧の中から必要な情報に関連する項目を選択することができ、携帯端末８とネットワークＮにより接続された登録情報配信サーバ１２は、判定手段２７により選択された項目に合致した情報が個別サーバ１８に記憶されていることを判断して個別サーバ１８から携帯端末８にコンテンツｆを送信することで情報を入手することが可能となる。
【０１０８】
次に、本第三実施形態について具体的に詳述するが、上述した第一・第二実施形態に係る簡易情報配信システムＡ１，Ａ２の構成はそのまま維持されるため説明を適宜省略し、本実施形態で追加となる構成について具体的に説明する。
【０１０９】
図６は、本発明の第三実施形態の簡易情報配信システムＡ３に係る情報配信装置１の概略構成を示すが、その構成は第一・第二実施形態に係る簡易情報配信システムＡ１，Ａ２のものと同様である。
【０１１０】
このように情報配信装置１を構成することで、５０ｍｓ以上の定周期で識別番号を付加した初期情報の信号を店舗等の眼前に位置する携帯端末８に送信することができる。
【０１１１】
次に、図７は、本発明の第三実施形態の簡易情報配信システムＡ３に係る携帯端末８の概略構成を示す。
【０１１２】
第二補助記憶装置６１に含まれる情報入手プログラム９は、初期情報受信手段２２と表示手段２３と要求間接送信手段２５と選択手段２４とコンテンツ間接仲介受信手段３７とを含む。
【０１１３】
要求間接送信手段２５は、一覧から１を選択する選択手段２４を含み、選択した情報配信装置１から受信した信号ａを含む間接要求データｂを登録情報配信サーバ１２に送信し、コンテンツ間接仲介受信手段３７は、登録情報配信サーバ１２を介して個別サーバ１８から送信される識別番号Ｚに紐付けされたコンテンツｆを受信してディスプレイに表示する。
【０１１４】
なお、選択手段２４は、第二入力装置６２のタッチパネル等により一覧から希望する１つの項目を選択することができるように構成している。
【０１１５】
このように携帯端末８を構成することで、情報配信装置１から送信される５０ｍｓ以上の定周期で識別番号Ｚを付加した初期情報の信号ａを、店舗等の眼前で携帯端末８をシェイク等することで受信して一覧を視認することができ、しかも、希望する情報を一覧から選択することで入手したい情報が記憶されている個別サーバ１８に登録情報配信サーバ１２を介して自動的にアクセスして情報を得ることができる。
【０１１６】
次に、図８は、本発明の第三実施形態の簡易情報配信システムＡ３に係る登録情報配信サーバ１２の概略構成を示す。
【０１１７】
第三補助記憶装置６８は、携帯端末８に送信すべくコンテンツｆを記憶したコンテンツデータベース１３と統括送信プログラム１４とを含んでいる。
【０１１８】
また、各コンテンツｆは識別番号Ｚと紐付けされて記憶されているため、携帯端末８から送信される間接要求データｂに対して適切なコンテンツｆを抽出することができるが、コンテンツデータベース１３には記憶されておらず後述する個別サーバ１８にのみ記憶されたコンテンツｆもあり、本実施形態ではこのようなコンテンツｆを携帯端末８に送信するものである。
【０１１９】
統括送信プログラム１４は、要求間接受信手段２６と判定手段２７とコンテンツ間接送信手段２８と要求間接仲介送信手段３４とを含み、判定手段２７は要求されたコンテンツｆが登録情報配信サーバ１２のコンテンツデータベース１３に記憶されたものであればコンテンツ間接送信手段２８によりコンテンツデータベース１３からコンテンツｆを抽出して携帯端末８に送信し、そうでなければ要求間接仲介送信手段３４により個別サーバ１８に対して個別サーバ１８からコンテンツｆを携帯端末８に送信するよう間接仲介要求データｄを個別サーバ１８に送信する。
【０１２０】
判定手段２７によるコンテンツ間接送信手段２８と要求間接仲介送信手段３４との振り分けは、携帯端末８から送信される間接要求データｂに含まれる識別番号Ｚがコンテンツデータベース１３に記憶されていないか、又は該識別番号Ｚに紐付けされたコンテンツｆが個別サーバ１８に記憶されていることを示すデータにより判断し決定される。
【０１２１】
このように登録情報配信サーバ１２を構成することで、携帯端末８から送信される識別番号Ｚを付加した間接要求データｂを受信し、識別番号Ｚに紐付けされたコンテンツｆがコンテンツデータベース１３に存在しない場合には間接仲介要求データｄを個別サーバ１８に送信し、個別サーバ１８が備える個別コンテンツデータベース１９から抽出して希望するコンテンツｆを携帯端末８に送信することができる。
【０１２２】
次に、図９は、本発明の第三実施形態の簡易情報配信システムＡ３に係る個別サーバ１８の概略構成を示す。個別サーバ１８は、それぞれ第四バス７１で相互に接続された第四メモリ装置７２、第四演算処理装置７３、第四インターフェース装置７４、第四補助記憶装置７５、第四入力装置７６、第四出力装置７７を備える情報処理装置である。
【０１２３】
第四メモリ装置７２は、個別サーバ１８の起動時に第四補助記憶装置７５に記憶された個別送信プログラム２０等のプログラムを読み出して記憶するＲＡＭ等の記憶装置である。この第四メモリ装置７２は、個別送信プログラム２０等の実行に必要なファイル、データ等も記憶する。第四演算処理装置７３は、第四メモリ装置７２に格納されたプログラムを実行するＣＰＵ等の演算処理装置である。第四インターフェース装置７４は、外部ネットワーク等に接続するためのインターフェース装置である。第四補助記憶装置７５は、個別送信プログラム２０やファイル、データ等を記憶するＨＤＤ等の記憶装置である。第四入力装置７６は、ユーザインターフェースを提供する入力装置（例えばキーボード、マウス）である。第四出力装置７７は、ユーザインターフェースを提供する出力装置（例えばディスプレイ）である。
【０１２４】
第四補助記憶装置７５は、携帯端末８に送信すべくコンテンツｆを記憶した個別コンテンツデータベース１９と個別送信プログラム２０とを含んでいる。
【０１２５】
個別送信プログラム２０は、要求間接仲介受信手段３５とコンテンツ間接仲介送信手段３６とを含み、要求間接仲介受信手段３５は、登録情報配信サーバ１２から送信される間接仲介要求データｄを受信し、コンテンツ間接仲介送信手段３６は、個別コンテンツデータベース１９から識別番号Ｚと紐付けされたコンテンツｆを抽出して携帯端末８に送信する。
【０１２６】
このように個別サーバ１８を構成することで、携帯端末８から送信される識別番号Ｚを付加した間接要求データｂを登録情報配信サーバ１２を介して受信し、識別番号Ｚに紐付けされたコンテンツｆを個別コンテンツデータベース１９から抽出して希望するコンテンツｆを携帯端末８に送信することができる。
【０１２７】
以上、説明したように第三実施形態に係る簡易情報配信システムＡ３は、個別サーバ１８を有し、個別サーバ１８は、登録情報配信サーバ１２から送信される信号ａを含む間接仲介要求データｄを受信する要求間接仲介受信手段３５と、識別番号Ｚに紐付けされたコンテンツｆを記憶する個別コンテンツデータベース１９と、コンテンツｆを携帯端末８に送信するコンテンツ間接仲介送信手段３６と、を備え、携帯端末８は、個別サーバ１８から送信されるコンテンツｆを受信するコンテンツ間接仲介受信手段３７を備え、登録情報配信サーバ１２は、間接仲介要求データｄを個別サーバ１８に送信する要求間接仲介送信手段３４と、コンテンツ間接送信手段２８と要求間接仲介送信手段３４のうち適切な手段を決定する判定手段２７と、を備えることより、店舗等の情報提供者が提携する別企業等によるサービス、例えば、専用アプリケーションの提供や専門性が高く日々更新されるような情報については別企業等のサーバを個別サーバ１８とすることで、これらを逐次登録情報配信サーバ１２に登録することなく運用できるので提供できる情報量を簡易に増加でき、しかも、管理が容易となる。
【０１２８】
また、情報配信装置１は電力消費量を抑えた無線信号発信機５で信号ａを送信することで該装置１を蓄電池により稼働させることができるので、情報配信装置１を複数個所に容易に設置することができる。
【０１２９】
従って、例えば、タクシー会社等のサーバを個別サーバ１８とすれば、複数のタクシー乗場に情報配信装置１を設置して広範囲に渡りサービスを提供することができると共に、携帯端末８の利用者がタクシー会社等のＷＥＢホームページを検索してアクセスする手間を省略でき、ピンポイントでタクシー会社等の独自の配車システムを容易に利用でき、しかも、識別番号Ｚにより、どのタクシー乗場から配車依頼が来ているのかを容易に知ることができる。特に、外国人の旅行者においては、一覧からの選択時に母国語を選択して操作を開始していれば、難しいタクシーの配車手続を容易に行うことができる。
【０１３０】
以下、本発明に係る簡易情報配信システムの第四実施形態について図面を参照しながら説明する。
【０１３１】
[第四実施形態]
本発明の第四実施形態に係る簡易情報配信システムＡ４は、図５、図６、図７、図９に示すように、情報配信装置１は、１ｍｓ以下の周期でチャンネルを切り替えながら携帯端末８との間で送受信を可能とする近距離無線通信装置６と、携帯端末８から送信される信号ａを含む仲介要求データｅを受信する要求仲介受信手段３９と、仲介要求データｅを個別サーバ１８に送信する個別サーバ要求仲介送信手段４０と、を備え、携帯端末８は、一覧から１を選択する選択手段２４を含み選択した情報配信装置１から受信した信号ａを含む仲介要求データｅを情報配信装置１に送信する要求仲介送信手段３８と、個別サーバ１８から送信されるコンテンツｆを受信するコンテンツ仲介受信手段４３と、を備え、個別サーバ１８は、情報配信装置１から送信される仲介要求データｅを受信する要求コンテンツ仲介受信手段４１と、識別番号Ｚに紐付けされたコンテンツｆを記憶する個別コンテンツデータベース１９と、コンテンツｆを携帯端末８に送信するコンテンツ仲介送信手段４２と、を備えている。
【０１３２】
図５に示すように、情報配信装置１と個別サーバ１８とはインターネット等のネットワークＮを介して送受信可能に構成しており、情報配信装置１と携帯端末８とはＢｌｕｅｔｏｏｔｈ（登録商標）により送受信可能に構成しており、携帯端末８と個別サーバ１８とはインターネット等のネットワークＮを介して送受信可能に構成している。
【０１３３】
情報配信装置１は店舗等に設置され第一・第二・第三実施形態に係る簡易情報配信システムＡ１，Ａ２，Ａ３と同様に無線信号発信機５により信号ａを送信すると共に、店舗等の外観で見易い位置に情報配信のための信号ａを発信していることが分かる掲示物Ｓを掲げている。
【０１３４】
情報配信装置１は、無線信号発信機５以外に、１ｍｓ以下の周期でチャンネルを切り替えながら送受信するＢｌｕｅｔｏｏｔｈ（登録商標）規格からなる近距離無線通信装置６も備えることで、無線信号発信機５によりデータ容量の小さい初期情報を送信し、これを受信した携帯端末８は近距離無線通信装置６を利用して必要なコンテンツｆを情報配信装置１を介して個別サーバ１８に要求することができる。
【０１３５】
個別サーバ１８は、登録情報配信サーバ１２とは異なる場所に設置される別途の装置であり、登録情報配信サーバ１２では管理が煩雑である店舗等の情報提供者が提携する別企業等によるサービス、例えば、専用アプリケーションの提供や専門性が高く日々更新されるような情報を記憶して情報配信装置１からの要求により携帯端末８に送信する。
【０１３６】
すなわち、携帯端末８をシェイクすることで店舗等から発信された信号ａを受信すると、携帯端末８の表示機には初期情報の一覧が表示され、一覧の中から必要な情報に関連する項目を選択することができ、携帯端末８とＢｌｕｅｔｏｏｔｈ（登録商標）により接続された情報配信装置１は、選択された項目に合致した情報を個別サーバ１８に要求し、個別サーバ１８から携帯端末８にコンテンツｆを送信することで情報を入手することが可能となる。
【０１３７】
次に、本第四実施形態について具体的に詳述するが、上述した第一・第二・第三実施形態に係る簡易情報配信システムＡ１，Ａ２，Ａ３の構成はそのまま維持されるため説明を適宜省略し、本実施形態で追加となる構成について具体的に説明する。
【０１３８】
図６は、本発明の第四実施形態の簡易情報配信システムＡ４に係る情報配信装置１の概略構成を示す。第一インターフェース装置５３は、外部ネットワーク等に接続するためのインターフェース装置であり、無線信号発信機５の他にＢｌｕｅｔｏｏｔｈ（登録商標）規格からなる近距離無線通信装置６を備えている。
【０１３９】
第一補助記憶装置５４は、携帯端末８に送信すべく初期情報を記憶した初期情報データベース２と初期情報の具体的な中身であるコンテンツｆを記憶した直接コンテンツデータベース３と初期情報配信プログラム４とを含んでいる。
【０１４０】
初期情報配信プログラム４は、初期情報送信手段２１と要求直接受信手段３１とコンテンツ直接送信手段３２と要求仲介受信手段３９と個別サーバ要求仲介送信手段４０とを含み、要求仲介受信手段３９は、携帯端末８から送信される識別番号Ｚを含む仲介要求データｅを受信し、個別サーバ要求仲介送信手段４０は、仲介要求データｅを個別サーバ１８に送信する。
【０１４１】
このように情報配信装置１を構成することで、５０ｍｓ以上の定周期で識別番号を付加した初期情報の信号ａを店舗等の眼前で携帯端末８をシェイク等することで受信して一覧を視認することができ、しかも、希望する情報を一覧から選択することで入手したい情報が記憶されている個別サーバ１８に情報配信装置１を介して自動的にアクセスして情報を得ることができる。
【０１４２】
なお、本実施形態では第一入力装置５５と第一出力装置５６は必須ではなく、また、別途の情報処理装置の組合せや無線信号発信機５の外部接続等、本発明の要旨の範囲内において種々の変形・変更が可能である。
【０１４３】
次に、図７は、本発明の第四実施形態の簡易情報配信システムＡ４に係る携帯端末８の概略構成を示す。
【０１４４】
第二補助記憶装置６１に含まれる情報入手プログラム９は、初期情報受信手段２２と表示手段２３と選択手段２４と要求仲介送信手段３８とコンテンツ仲介受信手段４３とを含む。
【０１４５】
要求仲介送信手段３８は、一覧から１を選択する選択手段２４を含み、選択した情報配信装置１から受信した信号ａを含む仲介要求データｅを情報配信装置１に送信し、コンテンツ仲介受信手段４３は、情報配信装置１を介して個別サーバ１８から送信される識別番号Ｚに紐付けされたコンテンツｆを受信してディスプレイに表示する。
【０１４６】
なお、選択手段２４は、第二入力装置６２のタッチパネル等により一覧から希望する１つの項目を選択することができるように構成している。
【０１４７】
このように携帯端末８を構成することで、情報配信装置１から送信される５０ｍｓ以上の定周期で識別番号Ｚを付加した初期情報の信号ａを、店舗等の眼前で携帯端末８をシェイク等することで受信して一覧を視認することができ、しかも、希望する情報を一覧から選択することで入手したい情報が記憶されている個別サーバ１８に情報配信装置１を介して自動的にアクセスして情報を得ることができる。
【０１４８】
次に、図９は、本発明の第四実施形態の簡易情報配信システムＡ４に係る個別サーバ１８の概略構成を示す。
【０１４９】
第四補助記憶装置７５は、携帯端末８に送信すべくコンテンツｆを記憶した個別コンテンツデータベース１９と個別送信プログラム２０とを含んでいる。
【０１５０】
個別送信プログラム２０は、要求コンテンツ仲介受信手段４１とコンテンツ仲介送信手段４２とを含み、要求コンテンツ仲介受信手段４１は、情報配信装置１から送信される仲介要求データｅを受信し、コンテンツ仲介送信手段４２は、個別コンテンツデータベース１９から識別番号Ｚと紐付けされたコンテンツｆを抽出して携帯端末８に送信する。
【０１５１】
このように個別サーバ１８を構成することで、携帯端末８から送信される識別番号Ｚを付加した仲介要求データｅを情報配信装置１を介して受信し、識別番号Ｚに紐付けされたコンテンツｆを個別コンテンツデータベース１９から抽出して希望するコンテンツｆを携帯端末８に送信することができる。
【０１５２】
以上、説明したように第四実施形態に係る簡易情報配信システムＡ４は、情報配信装置１は、１ｍｓ以下の周期でチャンネルを切り替えながら携帯端末８との間で送受信を可能とする近距離無線通信装置６と、携帯端末８から送信される信号ａを含む仲介要求データｅを受信する要求仲介受信手段３９と、仲介要求データｅを個別サーバ１８に送信する個別サーバ要求仲介送信手段４０と、を備え、携帯端末８は、一覧から１を選択する選択手段２４を含み選択した情報配信装置１から受信した信号ａを含む仲介要求データｅを情報配信装置１に送信する要求仲介送信手段３８と、個別サーバ１８から送信されるコンテンツｆを受信するコンテンツ仲介受信手段４３と、を備え、個別サーバ１８は、情報配信装置１から送信される仲介要求データｅを受信する要求コンテンツ仲介受信手段４１と、識別番号Ｚに紐付けされたコンテンツｆを記憶する個別コンテンツデータベース１９と、コンテンツｆを携帯端末８に送信するコンテンツ仲介送信手段４２と、を備えることより、登録情報配信サーバーを経由せずに個別サーバにアクセスできるので、店舗等の情報提供者が提携する別企業等によるサービス、例えば、専用アプリケーションの提供や専門性が高く日々更新されるような情報について別企業等のサーバを個別サーバ１８とすることで、これらを逐次登録情報配信サーバ１２に登録することなく運用でき、しかも、登録情報配信サーバ１２のメンテナンスやトラブルの影響を受けることがない。
【０１５３】
次に、本実施形態に係る簡易情報配信システムの初期情報配信プログラム４と情報入手プログラム９と統括送信プログラム１４と個別送信プログラム２０と各種構成とにより簡易情報配信システムが実行する簡易情報配信方法について説明する。
【０１５４】
なお、本簡易情報配信方法で説明する各種手順は、上述した簡易情報配信システムＡの各種手段に対応し、これら手段により実行されるため詳細は割愛して適宜省略して説明する。
【０１５５】
[簡易情報配信方法]
図１０の簡易情報配信方法のフロー図に示すように、情報配信装置１と、携帯端末８と、登録情報配信サーバ１２と、個別サーバ１８からなり、必要なコンテンツｆを携帯端末８で容易に確認することができる簡易情報配信システムＡが実行する簡易情報配信方法であって、情報配信装置１は、５０ｍｓ以上の定周期で信号を送信する無線信号発信機５と、情報配信装置１の識別番号Ｚを含み且つ提供すべきコンテンツｆに紐付けされた初期選択用の信号ａを１以上携帯端末８に送信する初期情報送信手順１２１と、１ｍｓ以下の周期でチャンネルを切り替えながら携帯端末８との間で送受信を可能とする近距離無線通信装置６と、携帯端末から送信される信号ａを含む直接要求データｃを受信する要求直接受信手順１３１と、識別番号Ｚに紐付けされたコンテンツｆを記憶する直接コンテンツデータベース３と、コンテンツｆを携帯端末に送信するコンテンツ直接送信手順１３２と、携帯端末８から送信される信号ａを含む仲介要求データｅを受信する要求仲介受信手順１３９と、仲介要求データｅを個別サーバ１８に送信する個別サーバ要求仲介送信手順１４０と、からなる。
【０１５６】
携帯端末８は、内蔵する加速度センサ１０の変異により情報配信装置１から送信される信号ａを受信すると共に受信した信号ａに対応した一覧を表示する表示手順１２３を含む初期情報受信手順１２２と、一覧から１を選択する選択手順１２４を含み選択した情報配信装置１から受信した信号ａを含む間接要求データｂを登録情報配信サーバ１２に送信する要求間接送信手順１２５と、登録情報配信サーバ１２から送信される識別番号Ｚに紐付けされたコンテンツｆを受信するコンテンツ間接受信手順１２９と、一覧から１を選択する選択手順１２４を含み選択した情報配信装置１から受信した信号ａを含む直接要求データｃを情報配信装置１に送信する要求直接送信手順１３０と、情報配信装置１から送信されるコンテンツｆを受信するコンテンツ直接受信手順１３３と、個別サーバ１８から送信されるコンテンツｆを受信するコンテンツ間接仲介受信手順１３７と、一覧から１を選択する選択手順１２４を含み選択した情報配信装置１から受信した信号ａを含む仲介要求データｅを情報配信装置１に送信する要求仲介送信手順１３８と、個別サーバ１８から送信されるコンテンツｆを受信するコンテンツ仲介受信手順１４３と、からなる。
【０１５７】
登録情報配信サーバ１２は、携帯端末８から送信される間接要求データｂを受信する要求間接受信手順１２６と、識別番号Ｚに紐付けされたコンテンツｆを記憶するコンテンツデータベース１３と、コンテンツｆを携帯端末８に送信するコンテンツ間接送信手順１２８と、間接仲介要求データｄを個別サーバ１８に送信する要求間接仲介送信手順１３４と、コンテンツ間接送信手順１２８と要求間接仲介送信手順１３４のうち適切な手順を決定する判定手順１２７と、からなる。
【０１５８】
個別サーバ１８は、登録情報配信サーバ１２から送信される信号ａを含む間接仲介要求データｄを受信する要求間接仲介受信手順１３５と、識別番号Ｚに紐付けされたコンテンツｆを記憶する個別コンテンツデータベース１９と、コンテンツｆを携帯端末８に送信するコンテンツ間接仲介送信手順１３６と、情報配信装置１から送信される仲介要求データｅを受信する要求コンテンツ仲介受信手順１４１と、識別番号Ｚに紐付けされたコンテンツｆを記憶する個別コンテンツデータベース１９と、コンテンツｆを携帯端末８に送信するコンテンツ仲介送信手順１４２と、からなる。
【０１５９】
すなわち、携帯端末８を操作する者が店舗等に掲示された掲示物Ｓにより眼前の店舗等が情報配信を行っていること及び情報の受信方法を認識することで、情報配信装置１による初期情報送信手順１２１（ＳＴＡＲＴ）により携帯端末８に送信された識別番号Ｚを含む初期情報の信号ａは、受信方法に準じた例えば携帯端末８をシェイク等する自発的な動作により携帯端末８が内蔵する加速度センサ１０の変異を検知して受信処理を行う初期情報受信手順１２２により表示機に一覧を表示させ、表示した初期情報の項目をタッチパネル等の入力装置を介して実行させる選択手順１２４により選択することで、携帯端末８を操作する者が要求するコンテンツｆを登録情報配信サーバ１２、個別サーバ１８、情報配信装置１の何れかの装置から得る（Ｅ１，Ｅ２，Ｅ３，Ｅ４）ことができるものである。
【０１６０】
コンテンツｆは、その内容や性質、データ容量の大小、用途等によって登録情報配信サーバ１２、個別サーバ１８、情報配信装置１の何れかの補助記憶装置に記憶されており、識別番号Ｚによりコンテンツｆを記憶した装置にアクセスすることができため、初期情報の項目を選択手順１２４により選択した時点で目的の装置にアクセスできる。
【０１６１】
以下、コンテンツｆを記憶した登録情報配信サーバ１２、個別サーバ１８、情報配信装置１によって異なる各装置毎の処理の流れを具体的に説明する。
【０１６２】
まず、要求するコンテンツｆが登録情報配信サーバ１２に記憶されている場合は、携帯端末８の要求間接送信手順１２５により登録情報配信サーバ１２に間接要求データｂが送信され、登録情報配信サーバ１２による要求間接受信手順１２６により受信される。
【０１６３】
この場合、判定手順１２７により要求するコンテンツｆが登録情報配信サーバ１２に記憶されていることを判断しコンテンツ間接送信手順１２８によりコンテンツｆを携帯端末８に送信する。
【０１６４】
携帯端末８では、コンテンツ間接受信手順１２９によりコンテンツｆを受信し表示機によりコンテンツｆを閲覧、操作等することができる（Ｅ１）。
【０１６５】
また、要求するコンテンツｆが登録情報配信サーバ１２に記憶されておらず個別サーバ１８に記憶されている場合は、携帯端末８の要求間接送信手順１２５により登録情報配信サーバ１２に間接要求データｂが送信された後、判定手順１２７により要求するコンテンツｆが登録情報配信サーバ１２に記憶されていないことを判断し要求間接仲介送信手順１３４により間接仲介要求データｄを個別サーバ１８に送信する。
【０１６６】
個別サーバ１８では、要求間接仲介受信手順１３５により間接仲介要求データｄを受信し、コンテンツ間接仲介送信手順１３６によりコンテンツｆを携帯端末８に送信する。
【０１６７】
携帯端末８では、コンテンツ間接仲介受信手順１３７によりコンテンツｆを受信し表示機によりコンテンツｆを閲覧、操作等することができる（Ｅ２）。
【０１６８】
次に、要求するコンテンツｆが情報配信装置１に記憶されている場合は、携帯端末８の要求直接送信手順１３０により情報配信装置１に直接要求データｃが送信される。
【０１６９】
情報配信装置１では、要求直接受信手順１３１により直接要求データｃを受信し、コンテンツ直接送信手順１３２によりコンテンツｆを携帯端末８に送信する。
【０１７０】
携帯端末８では、コンテンツ直接受信手順１３３によりコンテンツｆを受信し表示機によりコンテンツｆを閲覧、操作等することができる（Ｅ３）。
【０１７１】
また、要求するコンテンツｆが情報配信装置１に記憶されておらず個別サーバ１８に記憶されている場合は、携帯端末８の要求仲介送信手順１３８により情報配信装置１に仲介要求データｅが送信される。
【０１７２】
情報配信装置１では、要求仲介受信手順１３９により仲介要求データｅを受信し、更に個別サーバ要求仲介送信手順１４０により仲介要求データｅを個別サーバ１８に送信する。
【０１７３】
個別サーバ１８では、要求コンテンツ仲介受信手順１４１により仲介要求データｅを受信し、コンテンツ仲介送信手順１４２によりコンテンツｆを携帯端末８に送信する。
【０１７４】
携帯端末８では、コンテンツ仲介受信手順１４３によりコンテンツｆを受信し表示機によりコンテンツｆを閲覧、操作等することができる（Ｅ４）。
【０１７５】
以上のような流れにより簡易情報配信方法が実行される。これにより、眼前の店舗等の情報を携帯端末８で容易に入手できると共に、配信されるコンテンツｆの種類や性質、データ容量の大小等に応じてコンテンツｆを記憶しておく装置を任意に選択できるため効率よくコンテンツｆを配信することができ、しかも、コンテンツｆを記憶しておく装置を重複して構成しておけばトラブル時のバックアップとして機能させることができる。
【０１７６】
また、携帯端末８自体を振る等の自発的な受信アクションにより１以上の信号ａを受信しつつ選択可能な一覧を携帯端末８の表示機に表示することができるので、他の店舗等から送信される信号との混線が生じ難く眼前の店舗等から送信される信号ａを確実に受信し確認することができる。
【０１７７】
更に、携帯端末８の表示機に表示された一覧から必要な情報を選択することができ、選択した情報を登録情報配信サーバ１２等から容易に得ることで、眼前の店舗や交通機関乗場等の情報を携帯端末８で容易に確認することができるので、例えば、外国人の旅行者が母国語による情報を選択して希望する情報を容易に入手することができる。
【０１７８】
以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【０１７９】
Ａ  簡易情報配信システム
Ｚ  識別番号
ａ  信号
ｂ  間接要求データ
ｃ  直接要求データ
ｄ  接仲介要求データ
ｅ  仲介要求データ
ｆ  コンテンツ
１  情報配信装置
３  直接コンテンツデータベース
５  無線信号発信機
６  近距離無線通信装置
８  携帯端末
１０  加速度センサ
１２  登録情報配信サーバ
１３  コンテンツデータベース
１８  個別サーバ
１９  個別コンテンツデータベース
２１  初期情報送信手段
２２  初期情報受信手段
２３  表示手段
２４  選択手段
２５  要求間接送信手段
２６  要求間接受信手段
２７  判定手段
２８  コンテンツ間接送信手段
２９  コンテンツ間接受信手段
３０  要求直接送信手段
３１  要求直接受信手段
３２  コンテンツ直接送信手段
３３  コンテンツ直接受信手段
３４  要求間接仲介送信手段
３５  要求間接仲介受信手段
３６  コンテンツ間接仲介送信手段
３７  コンテンツ間接仲介受信手段
３８  要求仲介送信手段
３９  要求仲介受信手段
４０  個別サーバ要求仲介送信手段
４１  要求コンテンツ仲介受信手段
４２  コンテンツ仲介送信手段
４３  コンテンツ仲介受信手段
１２１  初期情報送信手順
１２２  初期情報受信手順
１２３  表示手順
１２４  選択手順
１２５  要求間接送信手順
１２６  要求間接受信手順
１２７  判定手順
１２８  コンテンツ間接送信手順
１２９  コンテンツ間接受信手順
１３０  要求直接送信手順
１３１  要求直接受信手順
１３２  コンテンツ直接送信手順
１３３  コンテンツ直接受信手順
１３４  要求間接仲介送信手順
１３５  要求間接仲介受信手順
１３６  コンテンツ間接仲介送信手順
１３７  コンテンツ間接仲介受信手順
１３８  要求仲介送信手順
１３９  要求仲介受信手順
１４０  要求仲介送信手順
１４１  要求コンテンツ仲介受信手順
１４２  コンテンツ仲介送信手順
１４３  仲介受信手順
【図１】
2018120379.tif 000003
【図２】
2018120379.tif 000004
【図３】
2018120379.tif 000005
【図４】
2018120379.tif 000006
【図５】
2018120379.tif 000007
【図６】
2018120379.tif 000008
【図７】
2018120379.tif 000009
【図８】
2018120379.tif 000010
【図９】
2018120379.tif 000011
【図１０】
2018120379.tif 000012